(57)【要約】      （修正有）【課題】より刈り量を大きく超えるような過負荷作業を行った場合でも刈草が、機体下に固まりとなって滞留しない草刈機の提供。【解決手段】走行駆動輪軸に金属板またはプラスチック板で形成した排出羽根８を、１枚または２枚以上、走行面を扇ぐように設け、過負荷作業時の刈取部２Ｌ，２Ｒから排出される大量の刈草の山を、直ちに機体後方外側に掃き出すようにした。【選択図】図３
2016002032.tif 000002
【特許請求の範囲】
【請求項１】
エンジン又はモータ等の原動機を搭載し回転刈刃と走行駆動輪とを駆動する、車輪が三輪以上の自立自走式の草刈機で、棒状の刃を十字状に、又は多重クロス状に構成した回転刈刃と、刈草排出促進プレート２１３と、刈刃押さえキャップ２１４と、刈草飛散防止カバー２２との主要部品を重ね合わせて構成した刈取部２の二つを、略走行面上に、機体進行方向略真横に並べ、刈刃が機体左右方向の外側から機体内側略中央部の同一面内で、回転が重なるように、即ち互いの棒状の刃がぶつからないように回転位相差角を保ちつつ、同期しながら、歯車のようにクロスラウンド状に回転させるよう設けた草刈機において、
走行駆動輪軸に排出羽根を、１枚または２枚以上、走行面を扇ぐように設けたことを特徴とする草刈機。
【請求項２】
前記排出羽根の材質を金属板又はプラスチック板又はゴム板又は布板又は木の板とし、回転外周先端位置が走行面位置から走行用ミッション最下部位置とする請求項１に記載する草刈機。
【発明の詳細な説明】
【技術分野】
【０００１】
本発明は一般向け汎用の草刈機で、時代の要請に応え、従来にない新しいタイプのものを開発した発明に関するものである。
【背景技術】
【０００２】
本出願人が先に発明した、従来の刈払機のように手軽に安く、それでいて誰でも、一般人や高齢者や婦女子でも、楽に、そして安全に、使えるような、汎用の草刈機の作業性をを、更に進歩、向上させるものである。
【特許文献１】特願２０１３−２５１５９２
【特許文献２】特願２０１４−０３４７６９
【発明の開示】
【発明が解決しようとする課題】
【０００３】
本出願人は先に、刈払機並に手軽に安く、それでいて誰でも、高齢者や婦女子でも楽にそして安全に使える、時代の要請に応える新しいタイプの草刈機を発明、製品化した（特許文献１、特許文献２）。クロスラウンド刈りという発明した新草刈方式と幾つかの付帯する発明機構とで、通年を通し全ての草刈り条件に対応できる、特に雑草生い茂る初夏から夏場にかけての最も過酷な条件にも対応できる極めて完成度の高い草刈機を提供した。しかし汎用草刈機として充分に完成させたはずであるが、その高性能さ故に、より刈り量を大きく超えるような過負荷作業を行った場合（それでも開発草刈機は充分草刈作業ができるのであるが）、刈草の排出が間に合わず、機体下に固まりとなって滞留する場合が出てきた。そしてこれが間接的に草刈作業の障害になる場合も出てきた。刈取部の刈草排出効率がまず重要ではあるが、その次に刈取部から排出された刈草をより積極的に機体の外に、機体後方側へ排出することも安定した草刈作業のためには重要であることが解った。本願はこの課題を解決し、更に作業性に進歩したクロスラウンド刈り草刈り機を提供する。
【課題を解決するための手段】
【０００４】
上記課題を解決するために本発明において講じた手段は、エンジン又はモータ等の原動機を搭載し回転刈刃と走行駆動輪とを駆動する、車輪が三輪以上の自立自走式の草刈機で、棒状の刃を十字状に、又は多重クロス状に構成した回転刈刃と、刈草排出促進プレートと、刈刃押さえキャップと、刈草飛散防止カバーとの主要部品を重ね合わせて構成した刈取部の二つを、略走行面上に、機体進行方向略真横に並べ、刈刃が機体左右方向の外側から機体内側略中央部の同一面内で、回転が重なるように、即ち互いの棒状の刃がぶつからないように回転位相差角を保ちつつ、同期しながら、歯車のようにクロスラウンド状に回転させるよう設けた草刈機において、走行駆動輪軸に金属板またはプラスチック板で形成した排出羽根を、１枚または２枚以上、走行面を扇ぐように設けた。
【発明の効果】
【０００５】
本発明は上記手段を施したことにより以下の効果を有する。
【０００６】
刈取部から排出された刈草を、更に機体下側から機体後方外側に排出するため、理想的な刈草排出処理が出来、草刈作業性が向上する。
【発明を実施するための最良の形態】
【０００７】
排出羽根の材質および排出羽根と走行面との間の距離は草種に応じて使い分け出来るよう交換容易な機構にしてあり、堅かったり、長かったり、太かったりする刈草の場合は金属板で走行面からやや高めに、柔らかかったり、細く長かったりする場合は軟質プラスチック板で走行面に近づけたものを使用することで、刈草排出効果はより向上する。
【実施例１】
【０００８】
本願発明の第一実施例を添付図面に基づいて説明する。図１は本願発明草刈機の実施例を示す右斜視図、図２は左側面図、図３は正面下側から刈取部と走行駆動部を見た図で、図４は平面透視図である。図は見やすくする為一部省略している。主構成はエンジン１と、左右（ＬＲ）一対の刈取部２、左右（ＬＲ）一対の駆動後輪３、走行ミッション５、刈刃および後輪駆動用カウンターミッション６、操縦用ハンドルバー７とで、自走式機械として必要最小限にして軽量化を図っている。特にエンジン１の軸出力を主にドライブシャフトとベベルギヤとで（図省略）、左右（ＬＲ）一対の刈刃２１と走行ミッション５とに伝動するカウンターミッション６のパイプ状アルミハウジングは機体フレームと兼用しており、自走式機械ではあるが機体用シャシーや機体用フレームなど一切使用していない極めてシンプルな構成にしている。
【０００９】
刈取部２の上部位置には草刈ガイドカバー４を取り付け取り外しが容易に装着している。カバー形状は刈取部２の上部を覆う部分は平らに、前方先端に向かって上向きに傾斜を付けている。また下部には、前方先端の左右（ＬＲ）の両端から刈取部中央に向かって草を導き入れ収集するガイド壁である集草ガイド４１１を設けている。また更に後方端の刈草排出部に、このカバーと別体で刈草排出量を調整する排出調整カバー４２を、ほぼ刈取部巾で、刈取部中央から後方に向かって、上下角度調整自在に固定可能なように、連結している。また更に草刈ガイドカバー４の左右端には高さ位置を保持する為と、刈取部２に不要な荷重がかかり走行の障害にならないよう、機体進行方向左右（ＬＲ）一対のカバー車輪４２を設けている。
【００１０】
駆動機構はエンジン１の軸出力をそのままカウンターミッション６に取り込み主にベベルギヤ（図省略）により回転軸方向変換し、一つは走行ミッション５へ、一つは刈取部左側２Ｌへ、一つは刈り取り部右側２Ｒへ、エンジン回転数そのまま伝達している。カウンターミッション６は１入力３出力のパイプハウジング状の機構で機体フレームも兼ねている。刈払機でのメインパイプを通した刈刃への出力を、メインパイプ出力を３つに分けて構成した格好になっている。ここで左右の刈取部２Ｌ、２Ｒは逆方向にそれぞれ機体外側から機体中央側に向けて同期回転する。（図４）走行ミッション５はエンジン１の回転数を減速し駆動後輪３に出力している。
【００１１】
以上、本願発明草刈機での草刈作業のメカニズムを図４で説明する。図は説明しやすいように平面透視図にしてある。前方草むらへまず草刈ガイドカバー４の本体４１の先端が当接し草を前方に押し倒す。その直後、刈刃部２１による刈り取りが始まる。草刈り効果を保つため草を刈る直前までは完全には倒さず、刈った直後に完全に水平に倒すようにカバー先端から刈取部に向かって傾斜を付けている。刈るとほぼ同時に刈草は刈刃部２１の排出促進プレート２１３により機体中央部に回転排出される。飛散防止カバー２２上の排出促進バー２２１は排出されずに更に回り続けようとする刈草を止め、排出し、刈刃部２１への絡みつきを防止する。更に草刈ガイドカバー４後方部、角度位置調整固定された排出調整カバー４２から刈った後の刈草は整然と走行跡に排出される。このカバーにより排出促進プレート２１３の排出効果を高めると共に、特に丈の長い草に見られる、刈った後の、巻き上がりや絡みつきを防止し整然と走行跡に排出、即ち倒させ寝かせることができる。
【００１２】
この間機体は進行している。これを機体を静止さて見た場合、前方から流れてくる草むらが草刈ガイドカバー４にシュレッダーのように吸い込まれ、刈られ、左右刈り刃２１Ｌ及び２１Ｒというロールを通して、粉砕ゴミのようにローリングして出て、左右排出促進バー２２１Ｌ、２２１Ｒ及び排出調整カバー４２で囲まれた排出口から、あたかも排出ダクトから出るように綺麗に揃って排出される。
【００１３】
以上が先の本出願人発明のクロスラウンド刈り式自走式刈払機（特許文献１、特許文献２）であるが、本願ではこれに更に走行車輪軸に排出羽根８を固定し、走行に連動し回転させるようにして、刈取部２から機体下に排出された刈草を速やかに機体後方外側に掃き出すようにした。クロスラウンド刈り方式による草刈作業性能は絶大で過負荷作業などの過酷な使い方も充分こなせるが、その性能向上故に過酷な過負荷作業を行った場合、刈取部２から排出される刈草が機体下に山となり、滞留し、作業に支障が出る場合が出てきた。
通常、刈草排出処理は刈取部２を対策することで充分なはずであるが、本発明機のように過負荷作業もこなせるよう高性能化した場合、刈取部２どころか機体自身から一刻も早く刈草を排出しなければならないことが解った。
【００１４】
この本願発明新機構により、刈草が刈取部２から排出ダクトを出るように排出されるが、過負荷作業で大量に出て機体下に山となりそうな場合でも、排出羽根８で直ちに機体後方外側に排出されるため、作業中断になるようなことはない。これは実質の高作業容量化、高性能化である。本願草刈り機の作業対象は芝刈り機またはそのたぐいなどとは比較にならない、人の身の丈ほどもある草壁にも突進していける、そのような作業も対象にしている。機械にとっては過酷ではあるが、そのような作業をだれでも、高齢者や婦女子でも楽に容易にできるという従来の汎用草刈り機の常識を打ち破るものである。
【００１５】
実施例では排出羽根８は走行駆動軸に４枚固定してあるが２枚でも充分効果はある。逆に枚数を多くしても、もともと機体下に溜まりそうな刈取部２から排出される大量の刈草を機体外へ掃き出すのが狙いであるから無駄である。また実施例では排出羽根８を走行駆動軸に固定し走行輪と同じ回転数にしているが、この状態では排出羽根に刈草を掃き出す作用効果は無いはずであるが、機体は進行しているため相対的に機体下から機体後方に掃き出されているように見られる。その意味では刈草を掃き出すのでなく、押し出す、送り出す、など表現した方が的確かもしれない。当初ギヤトレインなどで回転数を上げる予定であったが、走行輪と同じ回転でも充分な効果が見られた。回転数を上げれば排出効果はより上がるが、その分重量増及びコストアップになる。
【００１６】
以上、先の本出願人発明の自走式刈払機（特許文献１、特許文献２）で確立した従来に無い、全く新しい草刈り方式であるクロスラウンド刈りを更に高性能化して完成させた。従来から広く使われてきた刈払機のように、誰でも手軽に安くを踏襲し、誰でも、高齢者や婦女子でも楽に、且つ安全に、操作できるものを開発した。利益を生まぬたかが作業機ではあるが、しかし次の実りに収穫に、生活の営み住環境の整備に、また自然環境整備にも欠かせぬものである。そしてその作業は働く第一線の現役世代の仕事というよりは、どちらかというと第一線を退いた高齢者か婦女子の仕事である場合の方が多い。これからの高齢者社会に向けてその傾向はますます強くなる。本願発明によりこれからのそうした時代に、この分野において大きく寄与する。
【産業上の利用可能性】
【００１７】
開発のクロスラウンド刈りの普及により、見た目は成熟し長年変わることのなかった草刈り機に、大きな技術革新をもたらす。
【図面の簡単な説明】
【００１８】
【図１】本願第１実施例草刈り機を示す右斜視図である。
【図２】本願第１実施例草刈り機を示す左側面図である。
【図３】本願第１実施例草刈り機の、前方を持ち上げて見た下視図である。
【図４】本願第１実施例草刈り機を示す平面透視図である。
【符号の説明】
【００１９】
１      エンジン
２      刈取部
２１    刈刃部
２１１  主ナイフ
２１２  従ナイフ
２１３  排出促進プレート
２１４  刈刃押さえキャップ
２１５  刈刃ボルト
２２    飛散防止カバー
２２１  排出促進バー
２２２  飛散防止サイドカバー
２２３  サイドガードプレート
３      走行駆動後輪
４      草刈ガイドカバー
４１    カバー本体
４１１  集草ガイド
４２    排出調整カバー
４３    カバー車輪
５      走行ミッション
６      カウンタミッション
６１    カウンターミッション刈取部出力部
７      ハンドルバー
８      排出羽根
９      メインカバー
【図１】
2016002032.tif 000003
【図２】
2016002032.tif 000004
【図３】
2016002032.tif 000005
【図４】
2016002032.tif 000006